(57)【特許請求の範囲】
【請求項１】
電力の大きさの変化により情報が伝達される電磁波を受信することで誘導起電力を発生し信号を送受信するアンテナコイル、および該アンテナコイルに並列に接続された２つのコンデンサとからなる共振回路と、
前記共振回路の出力から復調して得られた受信信号を処理するとともに、送信信号を変調して前記共振回路に出力する主回路と、
前記共振回路で生成された交流電力から前記主回路で使用する電力を生成し、当該主回路に供給する電源回路と、
前記２つのコンデンサの一方のコンデンサを接続状態と非接続状態との間で切り換えるスイッチ部と、
前記共振回路に発生している出力電圧の大きさに応じて、および該出力電圧の所定の変化に応じて前記スイッチ部の切り換えを制御するスイッチ制御部と、を備え、
前記スイッチ制御部は、前記電源回路の出力電圧の立ち上がりを検出することで、前記共振回路で受信している電磁波の変化にともなう前記共振回路の出力電圧の立ち上がり変化を検出する電圧変化検出機能を有し、
さらに、前記共振回路に発生している出力電圧が所定値以上のときに、前記電圧変化検出機能で検出されている、前記共振回路で受信している電磁波の変化にともなう前記共振回路の出力電圧の立ち上がり変化に応じて前記スイッチ部の切り換えを制御し、前記一方のコンデンサの接続時または非接続時のどちらの方が前記共振回路に発生する出力電圧がより高くなるかを判定し、前記スイッチ部を該出力電圧がより高くなる方の状態に保持する非接触通信媒体。
【請求項２】
電力の大きさの変化により情報が伝達される電磁波を受信することで誘導起電力を発生し信号を送受信するアンテナコイル、および該アンテナコイルに並列に接続された２つのコンデンサとからなる共振回路と、
前記共振回路の出力から復調して得られた受信信号を処理するとともに、送信信号を変調して前記共振回路に出力する主回路と、
前記共振回路で生成された交流電力から前記主回路で使用する電力を生成し、当該主回路に供給する電源回路と、
前記２つのコンデンサの一方のコンデンサを接続状態と非接続状態との間で切り換えるスイッチ部と、
前記共振回路に発生している出力電圧の大きさに応じて、および該出力電圧の所定の変化に応じて前記スイッチ部の切り換えを制御するスイッチ制御部と、を備え、
前記スイッチ制御部は、前記電源回路の出力電圧の立ち下がりを検出することで、前記共振回路で受信している電磁波の変化にともなう前記共振回路の出力電圧の立ち下がり変化を検出する電圧変化検出機能を有し、
さらに、前記共振回路に発生している出力電圧が所定値以上のときに、前記電圧変化検出機能で検出されている、前記共振回路で受信している電磁波の変化にともなう前記共振回路の出力電圧の立ち下がり変化に応じて前記スイッチ部の切り換えを制御し、前記一方のコンデンサの接続時または非接続時のどちらの方が前記共振回路に発生する出力電圧がより高くなるかを判定し、前記スイッチ部を該出力電圧がより高くなる方の状態に保持する非接触通信媒体。
【請求項３】
前記共振回路の他方のコンデンサの容量は、前記共振回路の一方のコンデンサが非接続状態である前記共振回路を２つ重ねたとき、前記電磁波の周波数とこれら２つの共振回路の共振周波数とがほぼ一致する容量である請求項１または２に記載の非接触通信媒体。
【請求項４】
前記共振回路の他方のコンデンサの容量は、前記共振回路の一方のコンデンサが非接続状態である前記共振回路を２つ重ねたとき、これら２つの共振回路の共振周波数が前記電磁波の周波数より高くなる容量である請求項１または２に記載の非接触通信媒体。
【請求項５】
前記共振回路は、前記共振回路の一方のコンデンサが接続状態であるとき、共振周波数が前記電磁波の周波数とほぼ一致する請求項３または４に記載の非接触通信媒体。
【請求項６】
電力の大きさの変化により情報が伝達される電磁波を受信することで誘導起電力を発生し信号を送受信するアンテナコイル、および該アンテナコイルに並列に接続された２つのコンデンサとからなる共振回路と、
前記共振回路の出力から復調して得られた受信信号を処理するとともに、送信信号を変調して前記共振回路に出力する主回路と、
前記共振回路で生成された交流電力から前記主回路で使用する電力を生成し、当該主回路に供給する電源回路と、
前記２つのコンデンサの一方のコンデンサを接続状態と非接続状態との間で切り換えるスイッチ部と、
前記電源回路の出力電圧の立ち上がりを検出することで、通信対象である相手局におけるポーリングコマンドの送信完了を検出するポーリングコマンド送信完了検出手段と、
前記共振回路に発生している出力電圧が所定値以上であるときに、前記ポーリングコマンド送信完了検出手段が相手局におけるポーリングコマンドの送信完了を検出すると、この検出タイミングを基準にして前記スイッチ部の切り換えを制御し、前記一方のコンデンサの接続時または非接続時のどちらの方が前記共振回路に発生する出力電圧がより高くなるかを判定し、前記スイッチ部を該出力電圧がより高くなる方の状態に保持するスイッチ制御部と、を備えた非接触通信媒体。
【請求項７】
前記スイッチ制御部は、前記スイッチ部を保持した後、前記主回路を動作させる請求項１〜６のいずれかに記載の非接触通信媒体。
【請求項８】
前記スイッチ制御部は、前記スイッチ部を保持した状態で、前記出力電圧の大きさが前記主回路を動作させるのに十分な電圧に達した後、前記主回路に対する動作電源の供給を開始する請求項７に記載の非接触通信媒体。
【請求項９】
電力の大きさの変化により情報が伝達される電磁波を受信することで誘導起電力を発生し信号を送受信するアンテナコイル、および該アンテナコイルに並列に接続された２つのコンデンサとからなる共振回路と、
前記共振回路の出力から復調して得られた受信信号を処理するとともに、送信信号を変調して前記共振回路に出力する主回路と、
前記共振回路で生成された交流電力から前記主回路で使用する電力を生成し、当該主回路に供給する電源回路と、
前記２つのコンデンサの一方のコンデンサを接続状態と非接続状態との間で切り換えるスイッチ部と、
前記共振回路に発生している出力電圧の大きさに応じて、および該出力電圧の所定の変化に応じて前記スイッチ部の切り換えを制御するスイッチ制御部と、を備え、
前記スイッチ制御部は、前記電源回路の出力電圧の立ち上がり、または立ち下がりを検出することで、前記共振回路で受信している電磁波の変化にともなう前記共振回路の出力電圧の立ち上がり、または立ち下がり変化を検出する電圧変化検出機能を有し、
さらに、前記共振回路に発生している出力電圧が所定値以上のときに、前記電圧変化検出機能で検出されている、前記共振回路で受信している電磁波の変化にともなう前記共振回路の出力電圧の立ち上がり、または立ち下がり変化に応じて前記スイッチ部の切り換えを制御し、前記一方のコンデンサの接続時または非接続時のどちらの方が前記共振回路に発生する出力電圧がより高くなるかを判定し、前記スイッチ部を該出力電圧がより高くなる方の状態に保持する非接触通信媒体、
および前記非接触通信媒体との間で無線で通信する通信装置を有する非接触通信システム。
【発明の詳細な説明】
【０００１】
【発明の属する技術分野】
この発明は、非接触で通信を行う非接触通信媒体に関する。例えば、スマートカードと呼ばれる非接触通信媒体は、識別番号や本人認証のための身体的情報に代表される識別情報、金銭情報に代表される価値情報、クレジットカードで使用される信用情報などを通信したりこれらの情報を記憶したり、これらの情報に基づいてあらかじめ記憶している情報を変更したりする。また、例えば、非接触通信媒体の形状がカード型である非接触ＩＣカード、人や車、荷物などに付けて使用されるデータキャリアに関する。そして、非接触通信媒体が、本人認証装置などの識別装置、自動改札機、現金または電子的現金取引処理装置、利用料金徴収装置などと通信を行う非接触通信システムに関する。
【０００２】
この発明は、本人認証装置、自動改札機、現金または電子的現金の取引処理装置、利用料金徴収装置などに利用することができる。
【０００３】
【従来の技術】
非接触ＩＣカードは、共振回路を備えている。この共振回路の一部であるアンテナコイルが情報読出／書込機から発生される磁束に対して鎖交されると、そのアンテナコイルから誘導起電力が発生し、共振回路によって大きな電圧が発生する。この非接触ＩＣカードを情報読出／書込機のアンテナ部に近づけることによって、そのアンテナ部から電磁波を受信することによって共振回路が共振状態になり、この共振状態を利用して情報読出／書込機と非接触ＩＣカードとの間でデータ通信を行う。また、共振回路が共振することによって発生する電圧によって非接触ＩＣカード内の他の回路に電力が供給されその回路が動作する。
【０００４】
ここで、非接触ＩＣカードの実際の使用状況を考えてみる。例えば、鉄道の定期券、銀行で使用するキャッシュカードおよび買い物に使用するクレジットカードなどとして使用される非接触ＩＣカードの場合、これらの非接触ＩＣカードは、厚さが薄いため、財布や定期入れなどに複数の非接触ＩＣカードを重ねて入れ、そのまま情報読出／書込機のアンテナ部に近づけて使用されることが多い。
【０００５】
この場合、２枚以上の非接触ＩＣカードが重なった状態で使用されるため、非接触ＩＣカード間の相互インダクタンスによって、各非接触ＩＣカードの共振周波数が情報読出／書込機からの信号の搬送波周波数に対してずれる。これにより、共振回路に発生する電圧が低下し、非接触ＩＣカード内の回路に十分な受信電力が供給されず、情報読出／書込機と非接触ＩＣカードとの間で通信できない場合が生じる。
【０００６】
これについて図１７を用いて説明する。図１７のグラフの横軸は、非接触ＩＣカードの共振回路の周波数を示している。縦軸は、その共振回路に発生する受信電圧の絶対値を示している。後述する図１８のグラフの横軸および縦軸も同様である。
【０００７】
図１７（Ａ）は、 1枚の非接触ＩＣカードを情報読出／書込機に接近させたときの周波数と受信電圧との関係を示している。この場合、非接触ＩＣカードは 1枚だけで使用されている。そのため、共振回路の共振周波数ｆ０と情報読出／書込機からの搬送信号の搬送波周波数ｆｃとが一致しており、その周波数で高い受信電圧が発生している。
【０００８】
図１７（Ｂ）は、２枚の非接触ＩＣカードを重ねて情報読出／書込機に接近させたときの周波数と受信電圧との関係を示している。この場合、非接触ＩＣカードは２枚重なって使用されており、２枚の非接触ＩＣカード間で、相互インダクタンスの影響を受けるため、共振回路の共振周波数が変化し、図に示すように、共振周波数ｆ０' が情報読出／書込機からの搬送信号の搬送波周波数ｆｃからずれる。これにより、搬送波周波数ｆｃでは、共振周波数ｆ０' での受信電圧に比べて低い受信電圧しか発生していない。このため、非接触ＩＣカード内の回路に十分な電力が供給されず、リーダライタと非接触ＩＣカードとの間で通信できない問題が生じる。
【０００９】
このような問題を解決するために、あらかじめ非接触ＩＣカードの共振周波数を搬送波周波数に比べて高い周波数にずらして設定しておくことが提案されている。この方法では、非接触ＩＣカードを２枚重ねたときに、共振周波数が低下しても、この共振周波数が搬送波周波数から大きくずれないので、非接触ＩＣカード内の回路に十分な電力が供給できる。
【００１０】
この方法について図１８を用いて説明する。非接触ＩＣカードを 1枚だけで使用した場合には、図１８（Ａ）に示すように、非接触ＩＣカードの共振回路の共振周波数ｆ０が搬送波周波数ｆｃよりも高い状態で設定されている。
【００１１】
一方、非接触ＩＣカードを２枚重ねて使用した場合を、図１８（Ｂ）に示す。非接触ＩＣカードは２枚で使用されており、２枚の非接触ＩＣカードは相互インダクタンスの影響を受けるため、共振周波数ｆ０' が搬送波周波数ｆｃに比べて低下する。
【００１２】
しかし、非接触ＩＣカードを１枚で使用した場合と２枚で使用した場合のいずれでも、共振周波数ｆ０、ｆ０' が搬送波周波数ｆｃから、図１７で説明したものに比べて大きくずれない。このため、図１７で説明した場合に比べて、誘導起電力の低下を抑えることができる。
【００１３】
また、共振回路に対して直列にスイッチを接続し、このスイッチをランダムにオン／オフしたときの共振回路の電圧を監視することによって非接触ＩＣカードが重なっているかどうかを検出し、重なっていると判断した場合には、一方の非接触ＩＣカードのスイッチをオフにし、他方の非接触ＩＣカードの共振回路のみを共振状態にする方法が提案されている。この方法では、重なっている状態では、一方の非接触ＩＣカードが共振状態にあって他方の非接触ＩＣカードが共振状態にない。
【００１４】
これにより、一方の非接触ＩＣカードは単独で使用した場合と同様な受信電圧を得ることができる。さらに、他方の非接触ＩＣカードは、一方の非接触ＩＣカードにおける共振回路のエネルギーを相互インダクタンスによる電磁結合によって得ることができる。したがって、２枚の非接触ＩＣカードともに想定した電圧を得ることができる（特開平１０−１２６３１８号参照）。
【００１５】
【発明が解決しようとする課題】
しかしながら、上記の各方法は次に述べる欠点がある。
【００１６】
（１）非接触ＩＣカードの共振周波数を搬送波周波数からずらしておく方法では、使用する非接触ＩＣカードが 1枚のときでも共振周波数が搬送波周波数からずれているため、そのずれの分だけ誘導起電力が低下し、通信距離が短くなる。
【００１７】
（２）共振回路に接続されているスイッチをランダムにオン／オフする方法では、重なっていることを検出するために非接触ＩＣカード内の受信部やクロック回路を常に動作させておかねばならない。このため非接触ＩＣカードの消費電力が増え、非接触ＩＣカードは大きな磁界を必要とする。非接触ＩＣカードがこの大きな磁界を受信するには近距離で通信する必要がある。このため、（１）の方法と同様に通信距離が短くなってしまう。
【００１８】
この発明の目的は、複数の非接触通信媒体を重ねたままで、通信できる非接触通信媒体を提供することである。
【００１９】
また、この発明は、上記非接触通信媒体を用いた非接触通信システムを提供することを目的とする。
【００２０】
【課題を解決するための手段】
この発明の非接触通信媒体は、上記の課題を解決するために以下の構成を備えている。
【００２１】
電力の大きさの変化により情報が伝達される電磁波を受信することで誘導起電力を発生し信号を送受信するアンテナコイル、および該アンテナコイルに並列に接続された２つのコンデンサとからなる共振回路と、
前記共振回路の出力から復調して得られた受信信号を処理するとともに、送信信号を変調して前記共振回路に出力する主回路と、
前記共振回路で生成された交流電力から前記主回路で使用する電力を生成し、当該主回路に供給する電源回路と、
前記２つのコンデンサの一方のコンデンサを接続状態と非接続状態との間で切り換えるスイッチ部と、
前記共振回路に発生している出力電圧の大きさに応じて、および該出力電圧の所定の変化に応じて前記スイッチ部の切り換えを制御するスイッチ制御部と、を備え、
前記スイッチ制御部は、前記電源回路の出力電圧の立ち上がり、または立ち下がりを検出することで、前記共振回路で受信している電磁波の変化にともなう前記共振回路の出力電圧の立ち上がり、または立ち下がり変化を検出する電圧変化検出機能を有し、
さらに、前記共振回路に発生している出力電圧が所定値以上のときに、前記電圧変化検出機能で検出されている、前記共振回路で受信している電磁波の変化にともなう前記共振回路の出力電圧の立ち上がり、または立ち下がり変化に応じて前記スイッチ部の切り換えを制御し、前記一方のコンデンサの接続時または非接続時のどちらの方が前記共振回路に発生する出力電圧がより高くなるかを判定し、前記スイッチ部を該出力電圧がより高くなる方の状態に保持する。
上記構成の非接触通信媒体においては、共振回路がアンテナコイルに所定の周波数の電磁波を受けると、共振し、誘導起電力のＱ倍の電圧を発生する。ここでＱとは、クオリティファクタである。共振回路は、アンテナコイルと２つのコンデンサとを備えた並列共振回路である。２つのコンデンサは並列に接続されている。
【００２２】
スイッチ部は、共振回路の共振周波数を切り換えるアナログスイッチで構成される。アナログスイッチは、共振回路において、一方のコンデンサに直列に挿入される。スイッチ部がオンされると、並列に接続された２つのコンデンサとアンテナコイルとが電気的に接続された接続状態の共振回路となる。一方、スイッチ部がオフされると、一方のコンデンサとアンテナコイルとの電気的接続が開放され、他方のコンデンサのみがアンテナコイルに電気的に接続された接続状態の共振回路となる。共振回路のコンデンサ容量は、スイッチ部のオン／オフにより変化する。
【００２３】
スイッチ制御部は、従来の非接触通信媒体にないものであって、上記共振回路の出力電圧の大きさに応じて、および該出力電圧の所定の変化に応じてスイッチ部の切り換えを制御する。前記所定の変化は、共振回路の出力電圧の比較的急激な立ち上がり変化、または出力電圧の比較的急激な立ち下り変化であり、共振回路で受信している電磁波の変化にともなうものである。
【００２４】
非接触通信媒体が１つだけの場合、その通信対象である外部の通信装置と非接触通信媒体の共振回路が電磁結合すると、共振回路からの出力電圧は所定値以上に上昇する。スイッチ制御部は、出力電圧の大きさが所定値以上のときに、出力電圧に所定の変化である、比較的急激な立ち上がり変化、または比較的急激な立ち下り変化があると、スイッチ部を制御して一方のコンデンサを接続状態としたときの出力電圧と、一方のコンデンサを非接続状態としたときの出力電圧と、を比較し、どちらの方が出力電圧がより高くなるかを判定する。
【００２５】
ここで、前記共振回路の一方のコンデンサが接続状態であるとき、共振回路の共振周波数とアンテナコイルで受信している電磁波の周波数とがほぼ一致するように、２つのコンデンサの容量を決めておけば、共振回路の一方のコンデンサを接続状態としたときのほうが共振回路の出力電圧が高くなる。スイッチ制御部は、共振回路の出力電圧がより高くなった状態にスイッチ部を保持する。共振回路の一方のコンデンサは、接続状態に保持される。これにより、非接触通信媒体は共振回路の共振状態を維持して、十分な電力を主回路へ供給することができるので、通信装置との間で安定した非接触通信が行える。
【００２６】
一方、非接触通信媒体が２つある場合、例えば、非接触通信媒体がカード形状で、それを２枚重ねて通信装置に接近させ電磁結合させると、それぞれの非接触通信媒体における共振回路の出力電圧がともに所定値以上に上昇する。双方の非接触通信媒体は、前記出力電圧が所定値以上のときに、該出力電圧に所定の変化があると、スイッチ制御部がスイッチ部を制御して共振回路の一方のコンデンサを接続状態としたときの出力電圧と、共振回路の一方のコンデンサを非接続状態としたときの出力電圧と、を比較し、どちらの方が出力電圧がより高くなるかを判定する。
【００２７】
上記所定の変化は、共振回路で受信している電磁波の変化にともなうものであることから、双方の非接触通信媒体のスイッチ制御部におけるスイッチ部のオン／オフ制御の開始を同期させることができる。
【００２８】
双方の非接触通信媒体の共振回路間に相互インダクタンスがあることから、前記共振回路の一方のコンデンサが非接続状態である非接触通信媒体を２枚重ねたとき、それぞれの非接触通信媒体における共振回路の共振周波数と、アンテナコイルで受信している電磁波の周波数と、がほぼ一致するように共振回路の他方のコンデンサの容量を決めておけば、共振回路の一方のコンデンサを非接続状態としたときのほうが共振回路の出力電圧が高くなる。スイッチ制御部は、共振回路の出力電圧がより高くなった状態にスイッチ部を保持する。共振回路の一方のコンデンサは、非接続状態に保持される。これにより、双方の非接触通信媒体は共振回路の共振状態を維持して、十分な電力を主回路へ供給することができるので、通信装置との間で安定した非接触通信が行える。
【００２９】
また、共振回路の共振周波数は、非接触通信媒体を２枚重ねた場合よりも、非接触通信媒体を３枚重ねた場合のほうが低くなる。そこで、前記共振回路の一方のコンデンサが非接続状態である非接触通信媒体を２枚重ねたとき、共振回路の共振周波数がアンテナコイルで受信している電磁波の周波数より、少し高くなるように共振回路の他方のコンデンサの容量を決めておいてもよい。このようにすると、非接触通信媒体を２枚重ねた場合、および非接触通信媒体を３枚重ねた場合のいずれの場合も、前記共振回路の一方のコンデンサが非接続状態であるとき、それぞれの非接触通信媒体における共振回路の共振周波数が電磁波の周波数から大きくずれない。このため、非接触通信媒体を２枚重ねた場合、および非接触通信媒体を３枚重ねた場合のいずれの場合も、それぞれの非接触通信媒体の共振回路の出力電圧の低下が抑えられ、それぞれの非接触通信媒体とも通信装置との間で安定した非接触通信が行える。
【００３０】
この場合も、非接触通信媒体は、１つだけの場合、共振回路の一方のコンデンサが接続状態であるとき、共振回路の共振周波数とアンテナコイルで受信している電磁波の周波数とがほぼ一致するように共振回路の２つのコンデンサの容量を決めておけばよい。これにより、非接触通信媒体は１つだけの場合の通信距離が短くなることもない。
【００３１】
なお、共振回路の一方のコンデンサが非接続状態である非接触通信媒体を２枚重ねたとき、それぞれの非接触通信媒体の共振回路の共振周波数を高くするには、共振回路の他方のコンデンサの容量を小さくすればよい。この場合、共振回路の一方のコンデンサの容量を大きくして、共振回路の一方のコンデンサが接続状態であるときに前記電磁波の周波数と前記共振回路の共振周波数とをほぼ一致させればよい。
【００３２】
また、非接触通信媒体は、外観形状をカード形状にすることにより、重ねやすくなり、財布や定期入れなどに収納しやすくなる。
【００３３】
また、共振回路の出力電圧を非接触通信媒体本体の電源として利用すれば、電池が不用になる。
【００３４】
さらに、共振回路の出力電圧の大きさが、主回路を動作させるのに十分な電圧に達した後、主回路に対して動作電源の供給を開始するので、不十分な電力による主回路の誤動作を防止できる。
【００３５】
また、共振回路で発生する出力電圧の大きさが主回路を動作させるのに十分な電圧に達するまで、スイッチ制御部の制御によって、主回路に電力供給を行わないので、その間は、非接触通信媒体における消費電力が小さい。よって、主回路が動作できる通信距離に非接触通信媒体がなく、その出力電圧が小さくても、スイッチ制御部が動作し、スイッチ制御部の出力を確定することができる。そして、スイッチ制御部の出力が確定した非接触通信媒体は、主回路が動作できる通信距離に近づいたときに、共振回路において、主回路を動作させるのに十分な出力電圧が発生したことを検出する。この出力電圧を検出することによって主回路に動作電源の供給を開始するので、非接触通信媒体は、通信距離内に入ると、即座に動作を開始する。
【００３６】
なお、スイッチ制御部は、初期状態において、非接続状態にしておくのが好ましい。なぜなら、アナログスイッチは所定の電源電圧以下の場合、オフ状態であるからである。
【００３７】
【発明の実施の形態】
図１は、この発明の実施形態である非接触通信媒体としての非接触ＩＣカードおよび同非接触ＩＣカードと無線通信を行う非接触式自動改札機を示している。
【００３８】
この自動改札機１は、改札通路２を隔てて相対向する一対の改札機本体３を備えている。両改札機本体３の側面それぞれには、改札通路２における利用者の通過を許可あるいは阻止する扉（図示せず）が配置されている。
【００３９】
各改札機本体３には、情報読取／書込機４が設けられている。情報読取／書込機４の一部であるアンテナ部５が広い通信領域が得られるように各改札機本体３の上面に臨んで配置されている。乗車券としての非接触ＩＣカード６が、情報読取／書込機４の通信領域内に位置したときに、その非接触ＩＣカード６と情報読取／書込機４との間で非接触データ通信を行う。すなわち、非接触ＩＣカード６を携帯する利用者である乗客などが、情報読取／書込機４のアンテナ部５によってつくられている通信領域内に、非接触ＩＣカード６をかざしたときに、非接触ＩＣカード６は、情報読取／書込機４との間で乗車情報に関する非接触データ通信を行う。この通信結果に応じて、自動改札機１は、扉を開閉制御することで、乗客などの利用者の通過を許可したりしなかったりする。
【００４０】
図２は、上記情報読取／書込機４の構成図である。
【００４１】
情報読取／書込機４は、アンテナ部５、送信部１１、受信部１２、ＣＰＵ１４、ＲＯＭ１５、ＲＡＭ１６を備えている。
【００４２】
送信部１１は、非接触ＩＣカード６への電力を伝送するための搬送波およびデータを伝送するための前記搬送波を変調させた高周波信号を生成してアンテナ部５に供給する。
【００４３】
受信部１２は、アンテナ部５で受信した信号を復調する。
【００４４】
アンテナ部５は、アンテナコイルとコンデンサとからなる共振回路を備えている。そして、アンテナ部５は、共振回路を介して、送信部１１からの変調された搬送波を電磁波として送信する。そして、非接触ＩＣカード６がアンテナ部５に接近すると、該非接触ＩＣカード６がアンテナ部５からの電磁波を受け、非接触ＩＣカード６に設けられた共振回路で電圧が発生する。非接触ＩＣカード６の構成については後述する。非接触ＩＣカード６はこのとき発生した電圧を電源とする。また、非接触ＩＣカード６はアンテナ部５から送信された信号、すなわち搬送波を変調させた高周波信号、を受信する。受信部１２では、非接触ＩＣカード６からアンテナ部５へ送信される磁界の変化により、アンテナ部５で発生する誘導起電力が変化する。これにより、受信部１２は非接触ＩＣカード６から送信されてきた信号を受信することができる。
【００４５】
ＲＯＭ１５にはＣＰＵ１４の処理に必要なプログラム、利用者の識別情報や非接触ＩＣカード６の識別番号などのデータが記憶されている。
【００４６】
ＲＡＭ１６には、自動改札機１本体へ送信するデータや受信した信号に基づいたデータなどが記憶されている。
【００４７】
また、ＣＰＵ１４は、ＲＯＭ１５およびＲＡＭ１６に記憶されているデータに基づいて情報読取／書込機４の各構成を制御する。
【００４８】
図３は非接触ＩＣカードの構成図である。
【００４９】
この非接触ＩＣカード６は、アンテナコイルＬ、２つのコンデンサＣ１、Ｃ２、スイッチ素子ＳＷ、電源回路６２、電力供給スイッチ素子ＰＳＷ、スイッチ制御回路６１、復調回路６４、変調回路６５、およびデータ処理回路６３を備えている。
【００５０】
共振回路６０は、アンテナコイルＬと２つのコンデンサＣ１、Ｃ２とで構成される。コンデンサＣ１とコンデンサＣ２とは並列に接続されている。また、これらのコンデンサＣ１、Ｃ２は、アンテナコイルＬに対して並列に接続されている。共振回路６０は、 コイルとコンデンサとからなる並列共振回路である。コンデンサＣ２には、直列にスイッチ素子ＳＷが接続されている。コンデンサＣ２は、該スイッチ素子ＳＷのオン／オフにより、共振回路６０に接続された状態と、切断された状態との間で切り換えられる。共振回路６０はアンテナ部を構成しており、アンテナコイルＬはアンテナ部のアンテナ面を形成している。
【００５１】
アンテナコイルＬは、図４に示すように非接触ＩＣカード６の表面にパターン化されている。非接触ＩＣカード６の中心と、アンテナコイルＬの中心と、はほぼ一致している。
【００５２】
また、共振回路６０は、アンテナコイルＬにコンデンサＣ２が接続されているとき（スイッチ素子ＳＷがオンのとき）の共振周波数と、情報読取／書込機４から送信される電磁波の周波数と、がほぼ一致するように２つのコンデンサＣ１、Ｃ２の容量を決めている。また、アンテナコイルＬにコンデンサＣ２が接続されていない（スイッチ素子ＳＷがオフのときの）非接触ＩＣカード６を２枚重ねたときに、これらの非接触ＩＣカード６間の相互インダクタンスの影響下で、各非接触ＩＣカード６の共振回路６０の共振周波数と、改札機本体３から送信される電磁波の周波数と、がほぼ一致するようにコンデンサＣ１の容量を決めている。
【００５３】
スイッチ制御回路６１は、スイッチ素子ＳＷをオンに制御することによって、共振回路６０にコンデンサＣ２を接続した接続状態とする。また、スイッチ制御回路６１はスイッチ素子ＳＷをオフに制御することによって、共振回路６０にコンデンサＣ２を接続していない非接続状態とする。共振回路６０の共振周波数は、スイッチ素子ＳＷのオン／オフにより変化する。
【００５４】
なお、コンデンサＣ２はこの発明で言う一方のコンデンサに相当し、コンデンサＣ１はこの発明で言う他方のコンデンサに相当する。
【００５５】
電源回路６２は、共振回路６０で生成された交流電力を直流電力に整流することによって、スイッチ制御回路６１、復調回路６４、変調回路６５およびデータ処理回路６３で使用される電力を生成する。また、電源回路６２は、出力電圧Ｖが第１の閾値Ｖｔｈ１未満であるとき、スイッチ制御回路６１に対して動作を禁止するリセット信号（Ｒｅｓｅｔ−Ａ）を入力する。スイッチ制御回路６１は、このリセット信号（Ｒｅｓｅｔ−Ａ）の入力により、電源回路６２の出力電圧Ｖが第１の閾値Ｖｔｈ１未満であるときに動作しない。
【００５６】
電源回路６２と、復調回路６４、変調回路６５、およびデータ処理回路６３と、の間には電力供給スイッチ素子ＰＳＷが設けられている。スイッチ制御回路６１は電力供給スイッチ素子ＰＳＷをオンに制御することによって、復調回路６４、変調回路６５およびデータ処理回路６３に電力を供給する。また、スイッチ制御回路６１は電力供給スイッチ素子ＰＳＷをオフに制御することによって、復調回路６４、変調回路６５およびデータ処理回路６３への電力供給を遮断する。
【００５７】
復調回路６４は、共振回路６０から入力される変調された搬送波を復調し、復調した信号をデータ処理回路６３に出力する。
【００５８】
変調回路６５は、データ処理回路６３から入力される信号を変調し、共振回路６０に出力する。
【００５９】
データ処理回路６３は、所定のデータを記憶しており、復調回路６４から入力される信号に応じて、所定の信号を変調回路６５に出力したり、または入出力信号に応じたデータを記憶したり、記憶しているデータを変更するなどの処理を行う。ここでは、復調回路６４、変調回路６５およびデータ処理回路６３を総称してデータ処理部６６と言う。このデータ処理部６６は、この発明で言う主回路に相当する。
【００６０】
前記スイッチ制御回路６１は、電源回路６２で整流された出力電圧Ｖを監視し、この出力電圧Ｖの大きさに基づいてスイッチ素子ＳＷおよび電力供給スイッチ素子ＰＳＷのオン／オフの切り換えを制御する。
【００６１】
図５は、スイッチ制御回路６１の機能構成を示すブロック図である。なお、電源回路６２からスイッチ制御回路６１に入力される上記リセット信号（Ｒｅｓｅｔ−Ａ）については図示していない。
【００６２】
スイッチ制御回路６１は、第１の電圧比較部７１、第２の電圧比較部７２、電圧変化検出部７３、スイッチ素子切換部７４、および状態判定部７５を備えている。第１の電圧比較部７１は、電源回路６２の出力電圧Ｖが第１の閾値Ｖｔｈ１以上に上昇しているかどうかを検出し、その検出結果を示す信号（Ｒｅｓｅｔ−Ｂ）を出力する。第２の電圧比較部７２は、上記出力電圧Ｖが第２の閾値Ｖｔｈ２以上に上昇しているかどうかを検出し、その検出結果を示す信号（ＰＳＷ制御信号）を出力する。このＰＳＷ制御信号は、電力供給スイッチ素子ＰＳＷのオン／オフを切り換える信号である。第２の閾値Ｖｔｈ２は、第１の閾値Ｖｔｈ１よりも高い電圧であり、またデータ処理部６６を動作させるのに十分な電圧である。電圧変化検出部７３は、上記出力電圧Ｖの変化を検出する。スイッチ素子切換部７４は、スイッチ素子ＳＷをオン／オフする信号を出力する。状態判定部７５は、スイッチ素子ＳＷを複数回オン／オフ動作させたときに、オン時の上記出力電圧Ｖとオフ時の上記出力電圧Ｖとを比較し、どちらの方が上記出力電圧Ｖがより高くなるかを判定し、その判定結果を出力する。この判定を行う処理を、ここでは検出処理という。後述のように、非接触ＩＣカード６は上記出力電圧Ｖが第１の閾値Ｖｔｈ１以上のときにこの検出処理を実行し、上記出力電圧Ｖがより高くなる方のスイッチ素子ＳＷの状態 (スイッチ素子ＳＷのオン状態か、オフ状態）を保持し、その状態で出力電圧Ｖが第２の閾値Ｖｔｈ２以上になるのを待つ。
【００６３】
次に、この実施形態の非接触ＩＣカード６のスイッチ制御回路６１の動作について説明する。この実施形態の非接触ＩＣカード６は、改札機本体３のアンテナ部５から十分に離れ、電源回路６２の出力電圧Ｖが第１の閾値Ｖｔｈ１未満であるとき、初期状態である。この初期状態、および後述する状態１〜６については図７、図９、および図１１を参照する。初期状態は、スイッチ素子ＳＷおよび電力供給スイッチ素子ＰＳＷがともにオフの状態である。
【００６４】
スイッチ制御回路６１は、電源回路６２の出力電圧Ｖが第１の閾値Ｖｔｈ１未満であるとき、電源回路６２から動作を禁止するリセット信号（Ｒｅｓｅｔ−Ａ）が入力されているので動作しない。したがって、スイッチ制御回路６１は、前記出力電圧Ｖが第１の閾値Ｖｔｈ１未満であるときに、第１の電圧比較部７１において前記出力電圧Ｖが第１の閾値Ｖｔｈ１以上であると誤検出し、以下に示す動作を誤って開始することはない。
【００６５】
非接触ＩＣカード６は、改札機本体３のアンテナ部５に接近することによって前記電源回路６２の出力電圧Ｖが上昇する。電源回路６２は、出力電圧Ｖが第１の閾値Ｖｔｈ１以上になると、スイッチ制御回路６１に対する上記リセット信号（Ｒｅｓｅｔ−Ａ）の入力を停止する。これにより、非接触ＩＣカード６は、スイッチ制御回路６１が動作を開始し、第１の電圧比較部７１において前記出力電圧Ｖが第１の閾値Ｖｔｈ１以上であることを検出する。この状態を便宜上、状態１と呼ぶ。状態１は、スイッチ素子ＳＷおよび電力供給スイッチ素子ＰＳＷはともにオフの状態である。
【００６６】
改札機本体３は、所定時間毎（例えば、１０ｍｓ毎）に通信領域内に位置する非接触ＩＣカード６に対して応答を要求するポーリングコマンドを送信している。このとき、改札機本体３から送信される電磁波は図６（Ａ）に示すように変調されているので、電源回路６２の出力電圧Ｖは図６（Ｂ）に示すように少し低下する。このポーリングコマンドの受信中（変調波の受信中）に、スイッチ素子ＳＷを複数回オン／オフ動作させて上記出力電圧Ｖがより高くなるスイッチ素子ＳＷの状態を判定する検出処理を行うと、その出力電圧Ｖの変化がスイッチ素子ＳＷのオン／オフ動作にともなう電圧の変化であるのか、変調波による電圧の変化であるのかを判断できない。このため、上記出力電圧Ｖがより高くなるスイッチ素子ＳＷの状態を正しく判定することができない。
【００６７】
また、複数枚の非接触ＩＣカード６が重なっている場合、各非接触ＩＣカード６がこの検出処理を任意の時刻で開始すると、他の非接触ＩＣカード６の状態（スイッチ素子ＳＷのオン／オフ状態）の変化により、上記出力電圧Ｖが変化する。このため、上記出力電圧Ｖがより高くなるスイッチ素子ＳＷの状態を正しく判定することができない。
【００６８】
そこで、この実施形態の非接触ＩＣカード６は、上記出力電圧Ｖがより高くなるスイッチ素子ＳＷの状態を正しく判定するために、以下に示す動作を実行する。
【００６９】
改札機本体３がポーリングコマンドを送信しているとき、改札機本体３から送信される電磁波に変調がかかっているので、電源回路６２の出力電圧Ｖは低下している。この出力電圧Ｖの立ち上がりを検出することで、上記ポーリングコマンドの送信完了を検出できる。
【００７０】
電圧変化検出部７３は、この出力電圧Ｖの立ち上がりを検出する。非接触ＩＣカード６は、ここで検出した出力電圧Ｖの立ち上がりを基準にして上記検出処理を開始する。これにより、改札機本体３から送信される電磁波に変調がかかっているときを避けて検出処理が行えるとともに、複数枚の非接触ＩＣカード６が重なっている場合に各非接触ＩＣカード６における検出処理を同期させることができる。したがって、非接触ＩＣカード６は、上記出力電圧Ｖがより高くなるスイッチ素子ＳＷの状態を正しく判定できる。
【００７１】
なお、上記検出処理は上記ポーリングコマンドの送信間隔（１０ｍｓ）よりも短い時間（例えば、４〜５ｍｓ）で行える。
【００７２】
また、改札機本体３からの上記ポーリングコマンドの送信完了時における、電源回路６２の出力電圧Ｖの立ち上がりは比較的急激である。一方、非接触ＩＣカード６を改札機本体３のアンテナ部５に接近させているときの電源回路６２の出力電圧Ｖの上昇は緩やかである。電圧変化検出部７３は、前記出力電圧Ｖの比較的急激な立ち上がりを改札機本体３からの上記ポーリングコマンドの送信完了として検出し、出力電圧Ｖの緩やかな上昇については上記ポーリングコマンドの送信完了として検出しない。
【００７３】
非接触ＩＣカード６は、前記電源回路６２の出力電圧Ｖが第１の閾地以上Ｖｔｈ１以上であるときに、電圧変化検出部７３がこの出力電圧Ｖの急激な立ち上がりを検出する。この状態を便宜上状態２と呼ぶ。状態２は、スイッチ素子ＳＷを一定周期で複数回オン／オフする検出処理を実行する状態である。また、状態２は、電力供給スイッチ素子ＰＳＷをオフに固定した状態である。
【００７４】
非接触ＩＣカード６は、この検出処理でスイッチ素子ＳＷを一定周期で複数回オン／オフする。これは、複数枚の非接触ＩＣカード６が、それぞれほぼ同時にオン／オフできるようにするためである。そして、同スイッチ素子ＳＷがオンのときの方がオフのときよりも、電源回路６２の出力電圧Ｖがより高くなると判定すると、スイッチ素子ＳＷをオンに保持する。この状態を便宜上状態３と呼ぶ。状態３は、スイッチ素子ＳＷがオンで、電力供給スイッチ素子ＰＳＷがオフの状態である。反対に、上記検出処理でスイッチ素子ＳＷがオフのときの方がオンのときよりも、電源回路６２の出力電圧Ｖがより高くなると判定すると、非接触ＩＣカード６はスイッチ素子ＳＷをオフに保持する。この状態を便宜上状態４と呼ぶ。状態４は、スイッチ素子ＳＷおよび電力供給スイッチ素子ＰＳＷがともにオフの状態である。スイッチ素子ＳＷのオンによりコンデンサＣ２は共振回路６０に電気的に接続され、スイッチ素子ＳＷのオフによりコンデンサＣ２は共振回路６０から電気的に切断される。
【００７５】
スイッチ制御回路６１は、さらに電力供給スイッチ素子ＰＳＷを以下のように制御する。
【００７６】
非接触ＩＣカード６は、状態３または状態４において、第２の電圧比較部７２で上記出力電圧Ｖが第２の閾値Ｖｔｈ２（Ｖｔｈ２＞Ｖｔｈ１）以上に上昇したことを検出すると、電力供給スイッチ素子ＰＳＷをオンする。状態３から電力供給スイッチ素子ＰＳＷがオンになった状態を便宜上状態５と呼ぶ。また、状態４から電力供給スイッチ素子ＰＳＷがオンになった状態を便宜上状態６と呼ぶ。状態５は、スイッチ素子ＳＷおよび電力供給スイッチ素子ＰＳＷがともにオンの状態であり、状態６はスイッチ素子ＳＷがオフで、電力供給スイッチ素子ＰＳＷがオンの状態である。
【００７７】
非接触ＩＣカード６が状態５または状態６のいずれの状態になるかは、状態５または状態６の直前の状態が状態３と状態４のどちらになっているかによる。状態５は、アンテナコイルＬに並列に接続された２つのコンデンサＣ１、Ｃ２が接続された状態である。状態６は、アンテナコイルＬにコンデンサＣ１が接続され、コンデンサＣ２が接続されていない状態である。状態５と状態６とでは共振回路６０の共振周波数が異なるが、いずれの場合も電源回路６２の出力電圧Ｖが所定の閾値Ｖｔｈ２以上に上昇し、データ処理部６６を動作するのに十分な電圧が得られる。このようになる理由を以下に詳説する。
【００７８】
図７は、１枚の非接触ＩＣカード６を改札機本体３のアンテナ部５に近づけたときのスイッチ制御回路６１のスイッチ素子ＳＷおよび電力供給スイッチ素子ＰＳＷに対する制御動作結果を示す図である。
【００７９】
初期状態では、スイッチ素子ＳＷはオフされている。また、電力供給スイッチ素子ＰＳＷもオフされている。この初期状態において、非接触ＩＣカード６がアンテナ部５に近づくと、非接触ＩＣカード６における共振回路６０に誘導起電力が発生し、電源回路６２の出力電圧Ｖが上昇する。そして、前記出力電圧Ｖが第１の閾値Ｖｔｈ１以上になると、電源回路６２がスイッチ制御回路６１に対するリセット信号（Ｒｅｓｅｔ−Ａ）の出力を停止し、スイッチ制御回路６１が動作を開始する。非接触ＩＣカード６は、スイッチ制御回路６１の第１の電圧比較部７１で、この出力電圧Ｖが所定の閾値Ｖｔｈ１以上に上昇していることを検出し、状態１となる。
【００８０】
非接触ＩＣカード６は、この状態１で、電圧変化検出部７３が電源回路６２の出力電圧Ｖの比較的急激な立ち上がりを検出すると、すなわち改札機本体３におけるポーリングコマンドの送信完了を検出すると、状態２となる。非接触ＩＣカード６は、この状態２で、スイッチ素子ＳＷのオン／オフを複数回繰り返して、電源回路６２の出力電圧Ｖがより高くなるスイッチ素子ＳＷの状態を判定する検出処理を実行する。
【００８１】
上記のように、共振回路６０は、アンテナコイルＬにコンデンサＣ２が接続されているときの共振周波数と、改札機本体３から送信される電磁波の周波数と、がほぼ一致するように、２つのコンデンサＣ１、Ｃ２の容量を決めている。
【００８２】
非接触ＩＣカード６が１枚である場合、上記検出処理ではスイッチ素子ＳＷをオンさせ、コンデンサＣ２をアンテナコイルＬに接続したときのほうが電源回路６２の出力電圧Ｖが高くなる（図８参照）。なお、図８（Ａ）はスイッチ素子ＳＷのオン／オフ状態を示しており、図８（Ｂ）は電源回路６２の出力電圧を示している。この結果、スイッチ制御回路６１がスイッチ素子ＳＷをオン状態に保持した状態３になる。このとき、共振回路６０は共振周波数が改札機本体３から送信される電磁波の周波数とほぼ一致している。
【００８３】
この後、非接触ＩＣカード６は、第２の電圧比較部７２が電源回路６２の出力電圧Ｖが第２の閾値Ｖｔｈ２以上に上昇したことを検出し、電力供給スイッチ素子ＰＳＷをオンした状態５となる。
【００８４】
このように、非接触ＩＣカード６は改札機本体３のアンテナ部５に近づけたとき、初期状態、状態１、状態２、状態３、状態５の順に推移し、非接触データ通信が行える状態となる。
【００８５】
図９は、非接触ＩＣカード６が２枚重なって改札機本体３のアンテナ部５に近づいたときのスイッチ制御回路６１のスイッチ素子ＳＷおよび電力供給スイッチ素子ＰＳＷに対する制御動作結果を示す図である。２枚の非接触ＩＣカード６は、ほぼ同じ動作を実行する。ここでは、一方の非接触ＩＣカード６について説明する。
【００８６】
初期状態では、それぞれのスイッチ素子ＳＷおよび電力供給スイッチ素子ＰＳＷがオフ状態にある。この初期状態にある重ねられた２枚の非接触ＩＣカード６がアンテナ部５に近づくと、各非接触ＩＣカード６の共振回路６０にそれぞれ誘導起電力が発生し、電源回路６２の出力電圧Ｖが上昇する。そして、前記出力電圧Ｖが第１の閾値Ｖｔｈ１以上になると、電源回路６２がスイッチ制御回路６１に対するリセット信号（Ｒｅｓｅｔ−Ａ）の入力を停止し、スイッチ制御回路６１が動作を開始する。非接触ＩＣカード６は、スイッチ制御回路６１の第１の電圧比較部７１で、この出力電圧Ｖが所定の閾値Ｖｔｈ１以上に上昇していることを検出し、状態１となる。
【００８７】
２枚の非接触ＩＣカード６は、それぞれの電圧変化検出部７３が同時に電源回路６２の出力電圧Ｖの立ち上がりを検出した状態２となり、スイッチ素子ＳＷをオン／オフして、電源回路６２の出力電圧Ｖがより高くなるスイッチ素子ＳＷの状態を判定する検出処理を実行する。したがって、双方の非接触ＩＣカード６の検出処理は同期する。
【００８８】
なお、２枚の非接触ＩＣカード６は、共振回路６０に発生する誘導起電力によって、ほとんど同時に第１の閾値Ｖｔｈ１以上に上昇するか、または一方の非接触ＩＣカード６の出力電圧Ｖが第１の閾値Ｖｔｈ１以上に上昇してから、他方の非接触ＩＣカード６の出力電圧Ｖが第１の閾値Ｖｔｈ１以上に上昇する。
【００８９】
いずれの場合でも、２枚の非接触ＩＣカード６はともに電源回路６２の出力電圧Ｖが第１の閾値Ｖｔｈ１以上に上昇し、電圧変化検出部７３が電源回路６２の出力電圧Ｖの立ち上がりの検出を行う。２枚の非接触ＩＣカード６の電圧変化検出部７３は電源回路６２の出力電圧Ｖの立ち上がりを同時に検出する。これにより、２枚の非接触ＩＣカード６は同時に状態２となり、同時に検出処理を開始する。このように、２枚の非接触カード６は、改札機本体３におけるポーリングコマンドの送信完了を基準にして検出処理を開始する。したがって、共振回路６０で受信している電磁波に変調がかかっているときを避けて検出処理が行えるとともに、双方の非接触ＩＣカード６の検出処理を同期させることができる。２枚の非接触ＩＣカード６は、各非接触ＩＣカード６のオン／オフする周期が一定になるようにしてあるので、同じタイミングでスイッチ素子ＳＷをオン／オフする。
【００９０】
上記のように、アンテナコイルＬにコンデンサＣ２が接続されていない非接触ＩＣカード６を２枚重ねたときに、これらの非接触ＩＣカード６間の相互インダクタンスの影響下で、各非接触ＩＣカード６の共振回路６０の共振周波数と、改札機本体３から送信される電磁波の周波数と、がほぼ一致するようにコンデンサＣ１の容量を決めている。
【００９１】
非接触ＩＣカード６が２枚重ねられている場合、スイッチ素子ＳＷをオフさせ、コンデンサＣ２をアンテナコイルＬから切断したときのほうが電源回路６２の出力電圧Ｖが高くなる（図１０参照）。なお、図１０（Ａ）はスイッチ素子ＳＷのオン／オフ状態を示しており、図１０（Ｂ）は電源回路６２の出力電圧Ｖを示している。この結果、２枚の非接触ＩＣカード６は、ともにスイッチ制御回路６１がスイッチ素子ＳＷをオフ状態に保持した、状態４となる。
【００９２】
このとき、２枚の非接触ＩＣカード６は相互インダクタンスの影響を受けているが、共振回路６０の共振周波数と改札機本体３から送信される電磁波の周波数とはほぼ一致している。
【００９３】
この後、双方の非接触ＩＣカード６は、第２の電圧比較部７２が電源回路６２の出力電圧Ｖが第２の閾値Ｖｔｈ２以上に上昇したことを検出し、電力供給スイッチ素子ＰＳＷをオンした状態６となる。
【００９４】
以上のスイッチ制御回路６１の動作によって、非接触ＩＣカード６が２枚重なって改札機本体３のアンテナ部５に近づけられても、双方の非接触ＩＣカード６は十分な電力をデータ処理部６６に供給できる。したがって、双方の非接触ＩＣカード６はともに非接触データ通信が行える状態となる。
【００９５】
なお、非接触ＩＣカード６が３枚以上重ね合わせられて使用された場合も、各非接触ＩＣカード６は上記の状態遷移のいずれかの経緯を辿る。すなわち、３枚以上の非接触ＩＣカード６が重なって使用された場合も、検出処理で電源回路６２の出力電圧がより高くなるスイッチ素子ＳＷの状態（オンまたはオフ）を検出し、スイッチ素子ＳＷをその状態に保持する。
【００９６】
次に、図１１を参照しながら非接触ＩＣカード６の状態の遷移について詳細に説明する。図１１（Ａ）は非接触ＩＣカード６の状態遷移を示しており、図１１（Ｂ）は各状態におけるスイッチ素子ＳＷおよび電源供給スイッチ素子ＰＳＷのオン／オフ状態を示している。初期状態１では、スイッチ素子ＳＷおよび電力供給スイッチ素子ＰＳＷはオフである。非接触ＩＣカード６を改札機本体３のアンテナ部５に近づけると、電源回路６２の出力電圧Ｖが上昇する。非接触ＩＣカード６は、この出力電圧Ｖが第１の閾値Ｖｔｈ１以上に上昇し状態１となる。この状態１のときも、スイッチ素子ＳＷおよび電力供給スイッチ素子ＰＳＷはともにオフである。
【００９７】
非接触ＩＣカード６は、この状態１で、改札機本体３からのポーリングコマンドの送信完了を検出すると、状態２となって、検出処理を開始する。この検出処理では、スイッチ素子ＳＷを複数回オン／オフし、電源回路６２の出力電圧Ｖがより高くなるスイッチ素子ＳＷの状態を判定する。すなわち、共振回路６０の共振周波数と、改札機本体３から送信されてくる電磁波の周波数と、の差が小さくなるスイッチ素子ＳＷの状態を判定する。
【００９８】
上記検出処理において、スイッチ素子ＳＷがオンであるときの方が上記出力電圧Ｖがより高くなると判定すると、スイッチ素子ＳＷをオン状態に保持した状態３になり、その後出力電圧Ｖが第２の閾値Ｖｔｈ２以上に上昇するの待って状態５となる。この状態５のとき、スイッチ制御回路６１は、スイッチ素子ＳＷ、および電力供給スイッチ素子ＰＳＷをオンに保持している。このとき、非接触ＩＣカード６は、データ処理部６６に対して十分な電力を供給しており、改札機本体３との非接触通信が行える。
【００９９】
非接触ＩＣカード６は、状態５で改札機本体３との非接触通信が完了すると初期状態に戻る。また、非接触ＩＣカード６はアンテナ部５から離れて電源回路６２の出力電圧Ｖが第１の閾値Ｖｔｈ１未満に低下したときも初期状態に戻る。
【０１００】
反対に、上記検出処理において、スイッチ素子ＳＷがオフであるときの方が上記出力電圧Ｖがより高くると判定すると、スイッチ素子ＳＷをオフ状態に保持した状態４となる。その後、出力電圧Ｖが第２の閾値Ｖｔｈ２以上に上昇するのを待って状態６となる。この状態６のとき、スイッチ制御回路６１は、スイッチ素子ＳＷをオフに保持し、電力供給スイッチ素子ＰＳＷをオンに保持している。このとき、非接触ＩＣカード６は、データ処理部６６に対して十分な電力を供給しており、改札機本体３との非接触通信が行える。
【０１０１】
非接触ＩＣカード６は、状態６で改札機本体３との非接触通信が完了すると初期状態に戻る。また、非接触ＩＣカード６はアンテナ部５から離れて電源回路６２の出力電圧Ｖが第１の閾値Ｖｔｈ１未満に低下したときも初期状態に戻る。
【０１０２】
なお、状態３または状態４であるときに、電源回路６２の出力電圧Ｖが第１の閾値Ｖｔｈ１未満に低下した場合も、初期状態に戻る。なお、状態３から初期状態に戻るときには、スイッチ素子ＳＷがオフされる。
【０１０３】
また、上記電力供給スイッチ素子ＰＳＷは特に設けなくてもよい構成であるが、この電力供給スイッチ素子ＰＳＷを設けていないと、電源回路６２からデータ処理部６６に対して常時電力が供給される。
【０１０４】
これに対し、この電力供給スイッチ素子ＰＳＷを設けると、この電力供給スイッチ素子ＰＳＷをオフすることで、データ処理部６６への電力供給を遮断し、非接触ＩＣカード６の消費電力を低減させることができる。通常、スイッチ制御回路６１よりもデータ処理部６６の方が、大きな電力を消費する。したがって、データ処理部６６への電力供給を遮断することによって、データ処理部６６への電力供給が遮断されていない場合よりも弱い電磁波でスイッチ制御回路６１を動作させることができる。また、電源回路６２の出力電圧Ｖがデータ処理部６６を安定して動作させることができる第２の閾値Ｖｔｈ２以上になった後に、電力供給スイッチ素子ＰＳＷをオンすることで、不十分な電力供給によるデータ処理部６６の誤動作を防止できる。
【０１０５】
さらに、主回路を動作させるのに十分な電力を供給できる距離に近づくまでに、スイッチ制御回路６１によるスイッチ素子ＳＷの状態を決定できる。これにより、この距離まで近づいたときに、主回路に電力を供給し、主回路が動作する。
【０１０６】
次に、 図１２および図１３を参照しながら、非接触ＩＣカード６を情報読取／書込機４のアンテナ部５に近づけたときの電源回路６２の出力電圧Ｖの時間的推移について詳細に説明する。
【０１０７】
図１２は、１枚の非接触ＩＣカード６を情報読取／書込機４のアンテナ部５に近づけたとき、該非接触ＩＣカード６における電源回路６２の出力電圧Ｖの時間的推移を示す図である。非接触ＩＣカード６は、電源回路６２の出力電圧Ｖが第１の閾値Ｖｔｈ１以上であるときに（図に示す時刻ｔ３以降）、ポーリングコマンドの送信完了を検出すると（図に示す時刻ｔ５）、検出処理を開始する。なお、図に示す時刻ｔ１−ｔ２間、ｔ４−ｔ５間が改札機本体３によるポーリングコマンドの送信期間である。ここで開始した検出処理の結果から時刻ｔ６においてスイッチ素子ＳＷをオン状態に保持する。これにより、共振回路６０の共振周波数が改札機本体３から送信される電磁波の周波数とほぼ一致するため、電源回路６２の出力電圧Ｖが急激に上昇する。そして、出力電圧Ｖは、さらに上昇を続ける。非接触ＩＣカード６は、前記出力電圧が第２の閾値Ｖｔｈ２に達すると（時刻ｔ７）、電源供給スイッチ素子ＰＳＷをオンする。そうすると、主回路への電力供給が開始され、非接触ＩＣカード６における消費電力が増加するため、出力電圧Ｖが電圧Ｖ３まで急激に低下する（時刻ｔ８）。その後、出力電圧Ｖは飽和電圧Ｖ４まで上昇し（時刻ｔ９）、その後、出力電圧は一定になる。時刻ｔ６で出力電圧Ｖの上昇する傾きが急激になる理由は、共振回路が最初から共振状態であった場合の上昇曲線Ｑに沿った電圧まで一気に上昇するからである。また、電源供給スイッチ素子ＰＳＷがオンになった直後、出力電圧が急激に電圧Ｖ３まで低下する。この出力電圧Ｖ３が非接触ＩＣカード６の主回路であるデータ処理部６６を動作させるのに必要な電圧以上になるように、第２の閾値Ｖｔｈ２が設定される。
【０１０８】
図１３は、２枚の非接触ＩＣカード６を情報読取／書込機４のアンテナ部５に近づけたとき、各非接触ＩＣカード６における電源回路６２の出力電圧Ｖの時間的推移を示す図である。非接触ＩＣカード６は、出力電圧Ｖが第１の閾値Ｖｔｈ１以上であるときに（図に示す時刻ｔ３以降）、ポーリングコマンドの送信完了を検出すると（図に示す時刻ｔ５）、検出処理を開始する。この検出処理の結果から時刻ｔ６においてスイッチ素子ＳＷをオフ状態に保持する。これにより、各非接触ＩＣカード６では相互インダクタンスの影響を受けている共振回路６０の共振周波数が改札機本体３から送信される電磁波の周波数とほぼ一致している。そして、非接触ＩＣカード６は、前記出力電圧が第２の閾値Ｖｔｈ２に達すると（時刻ｔ７）、電源供給スイッチ素子ＰＳＷをオンする。そうすると、主回路への電力供給が開始され、非接触ＩＣカード６における消費電力が増加するため、出力電圧Ｖが電圧Ｖ３まで急激に低下する（時刻ｔ８）。その後、出力電圧Ｖは飽和電圧Ｖ４まで上昇し（時刻ｔ９）、その後、出力電圧は一定になる。
【０１０９】
時刻ｔ６において、電源回路６２の出力電圧Ｖが急激に上昇しない理由は、非接触ＩＣカード６の初期状態がスイッチ素子ＳＷをオフした状態であることから、上昇曲線Ｑに沿って出力電圧Ｖが上昇していたからである。
【０１１０】
図１４は、スイッチ制御回路６１の動作を示すフローチャートである。
【０１１１】
ｓ１では、電源回路６２の出力電圧Ｖが第１の閾値Ｖｔｈ１以上であるかどうかを判断する。出力電圧Ｖが第１の閾値Ｖｔｈ１以上であれば、ｓ２でポーリングコマンドの送信完了の検出を行い（ｓ３）、ポーリングコマンドの送信完了を検出すると、スイッチ素子ＳＷを複数回オン／オフし、電源回路６２の出力電圧Ｖがより高くなるスイッチ素子ＳＷの状態を判定する（ｓ４）。スイッチ素子ＳＷをオンしたときのほうが電源回路６２の出力電圧Ｖが高ければ、スイッチ素子ＳＷをオン状態に保持し（ｓ５）、出力電圧Ｖが第１の閾値Ｖｔｈ１よりも小さくなるか（ｓ６）、または第２の閾値Ｖｔｈ２以上になるのを待つ（ｓ７）。出力電圧Ｖが第１の閾値Ｖｔｈ１よりも小さくなると、ｓ８でスイッチ素子ＳＷをオフに戻し（ｓ８）、本処理を終了する。これにより、非接触ＩＣカード６は初期状態に戻る。
【０１１２】
出力電圧Ｖが第２の閾値Ｖｔｈ２以上になると、電源供給スイッチ素子ＰＳＷをオンする（ｓ９）。
【０１１３】
また、ｓ４においてスイッチ素子ＳＷをオフしたときのほうが電源回路６２の出力電圧Ｖが高ければ、スイッチ素子ＳＷをオフ状態に保持し（ｓ１０）、出力電圧Ｖが第１の閾値Ｖｔｈ１よりも小さくなるか（ｓ１１）、または第２の閾値Ｖｔｈ２以上になるのを待つ（ｓ１２）。出力電圧Ｖ１が第１の閾値Ｖｔｈ１よりも小さくなると本処理を終了する。これにより、非接触ＩＣカード６は初期状態に戻る。
【０１１４】
出力電圧Ｖが第２の閾値Ｖｔｈ２以上になると、電源供給スイッチＰＳＷをオンする（ｓ９）。
【０１１５】
なお、非接触ＩＣカード６は、ｓ９で電源供給スイッチＰＳＷをオンした後、改札機本体３との非接触通信が完了すると初期状態に戻る。また、非接触ＩＣカード６はアンテナ部５から離れて電源回路６２の出力電圧Ｖが第１の閾値Ｖｔｈ１未満に低下したときも初期状態に戻る。
【０１１６】
また、上記実施形態では、コンデンサＣ１は、アンテナコイルＬにコンデンサＣ２が接続されていない非接触ＩＣカード６を２枚重ねたときに、これらの非接触ＩＣカード６間の相互インダクタンスの影響下で、各非接触ＩＣカード６の共振回路６０の共振周波数と、改札機本体３から送信される電磁波の周波数と、がほぼ一致する容量であるとしたが、以下のようにしてもよい。
【０１１７】
コンデンサＣ１は、アンテナコイルＬにコンデンサＣ２が接続されていない非接触ＩＣカード６を２枚重ねたときに、これらの非接触ＩＣカード６間の相互インダクタンスの影響下で、各非接触ＩＣカード６の共振回路６０の共振周波数が、改札機本体３から送信される電磁波の周波数より少し高くなる容量としてもよい。
【０１１８】
但し、非接触ＩＣカード６が１枚である場合に、アンテナコイルＬにコンデンサＣ２が接続されているときの共振回路６０の共振周波数と、改札機本体３から送信される電磁波の周波数と、がほぼ一致するように２つのコンデンサＣ１、Ｃ２の容量を決める。
【０１１９】
共振回路６０の共振周波数は、非接触ＩＣカード６を２枚重ねた場合よりも、３枚重ねた場合のほうが低くなる。上記のようにコンデンサＣ１、Ｃ２の容量を決めると、非接触ＩＣカード６を２枚重ねた場合、および非接触ＩＣカード６を３枚重ねた場合、のいずれの場合も、前記一方のコンデンサＣ２が非接続状態であるとき、それぞれの非接触ＩＣカード６の共振回路６０の共振周波数が改札機本体３から送信される電磁波の周波数から大きくずれない。このため、非接触ＩＣカード６を２枚重ねた場合、および非接触ＩＣカード６を３枚重ねた場合のいずれの場合も、それぞれの非接触ＩＣカード６の共振回路６０の出力電圧Ｖの低下が抑えられる。したがって、各非接触ＩＣカード６は改札機本体３との間で安定した非接触通信が行える。
【０１２０】
また、非接触ＩＣカード６が１枚である場合に、アンテナコイルＬにコンデンサＣ２が接続されているときの共振回路６０の共振周波数と、改札機本体３から送信される電磁波の周波数と、がほぼ一致するように２つのコンデンサＣ１、Ｃ２の容量を決めてあるので、非接触ＩＣカード６が１枚であるときの通信距離が短くなることもない。
【０１２１】
この実施形態にかかる非接触ＩＣカード６と従来の非接触ＩＣカードとを比較した比較結果を図１５に示す。スイッチ素子ＳＷがオフの状態である非接触ＩＣカード６を２枚重ねたとき、改札機本体３から送信される電磁波の周波数に共振周波数をほぼ一致させたものがＡであり、共振周波数を少し高めにしたものがＢである。また従来の非接触接触カードがＣである。図１５に示すように、従来の非接触ＩＣカードは、複数枚を重ねた状態であるときに、共振周波数が大きく低下するため、複数枚の非接触ＩＣカードを重ねた状態では改札機本体３との通信が安定して行えない。これに対し、この実施形態の非接触ＩＣカード６は複数枚を重ねた状態であるときにも、スイッチ素子ＳＷのオン／オフ制御により、共振周波数の低下が抑えられる。このため、複数枚の非接触ＩＣカード６を重ねた状態でも改札機本体３との非接触通信が安定して行える。
【０１２２】
次に、非接触ＩＣカード６と改札機本体３の情報読取／書込機４とが通信する方法について説明する。
【０１２３】
最初に、改札機本体３の情報読取／書込機４が、通信領域内に存在する非接触ＩＣカード６と１枚ずつ通信する方法を以下に示す。ここでは、通信領域内に非接触ＩＣカード６が２枚存在している場合を例にして説明する。
【０１２４】
情報読取／書込機４は、ポーリングコマンドに対するレスポンスを受信するまで、所定時間毎にポーリングコマンドを送信している。
【０１２５】
情報読取／書込機４の通信領域内に存在する非接触ＩＣカード６は、このポーリングコマンドを受信すると、情報読取／書込機４に対してそれぞれの識別情報を含んだレスポンスを送信する。
【０１２６】
非接触ＩＣカード６が２枚以上重なっている場合など、非接触ＩＣカード６が同一通信領域に複数存在する場合に、これらの非接触ＩＣカード６は同期するので、このポーリングコマンドに対する情報読取／書込機４への返信は混信する。そこで、例えば、次のようなアンチコリジョン処理が行われる。
【０１２７】
はじめに、情報読取／書込機４は、ポーリングを行い、複数の非接触ＩＣカード６から返信が混信している（データを正しく受信できない）と判別した場合、再度、ポーリングを行う。この再度のポーリングにおけるポーリングコマンドは、はじめのポーリングにおけるポーリングコマンドとは、異なる種類のコマンドである。ここで便宜上、はじめのポーリングコマンドをポーリングコマンドＡ、再度のポーリングコマンドをポーリングコマンドＢと呼ぶ。
【０１２８】
ポーリングコマンドＢを受信した複数の非接触ＩＣカード６は、それぞれ、ランダムな時間だけ遅れてレスポンスを情報読取／書込機４に返信する。これにより、非接触ＩＣカード６からの返信が混信しないようにすることができる。
【０１２９】
もし、ランダムな時間だけ遅れてレスポンスを返信したときでも混信した場合には、情報読取／書込機から再度、ポーリングコマンドＢを送信することで、非接触ＩＣカード６に再度ランダムに返信させる。情報読取２／書込機４は、非接触ＩＣカード６からのレスポンスが混信しなくなるまで、ポーリングコマンドＢを送信することを繰り返す。これにより、情報読取／書込機４は、各非接触ＩＣカード６から、混信のないレスポンスを受信することができる。
【０１３０】
このとき、一方の非接触ＩＣカード６が先の時刻にレスポンスを送信した場合を考える。
【０１３１】
情報読取／書込機４は、先に一方の非接触ＩＣカード６からのレスポンスを受信する。情報読取／書込機４は、この後に送信されてくる他方の非接触ＩＣカード６からのレスポンスを無視する。情報読取／書込機４は、受信したレスポンスの識別情報から、どの非接触ＩＣカード６からのレスポンスを受信したのかを判断する。情報読取／書込機４は、レスポンスを受信した一方の非接触ＩＣカード６との非接触通信を開始するために、通信確立のコマンドをこの一方の非接触ＩＣカード６に対して送信する。この通信確立のコマンドには、一方の非接触ＩＣカード６の識別情報が含まれている。
【０１３２】
一方の非接触ＩＣカード６は、この通信確立のコマンドを受信すると、この通信確立のコマンドに対するレスポンスを情報読取／書込機４に対して送信する。
【０１３３】
情報読取／書込機４は、通信確立のコマンドに対するレスポンスを受信すると、一方の非接触ＩＣカード６に対してリードコマンドなどを送信する。一方の非接触ＩＣカード６は、受信したコマンドに対応するレスポンスを情報読取／書込機４に対して送信する。このようにして、情報読取／書込機４と一方の非接触ＩＣカード６との非接触通信が行われる。
【０１３４】
情報読取／書込機４は、一方の非接触ＩＣカード６との非接触通信が完了すると、再度、ポーリングコマンドを送信する。一方の非接触ＩＣカード６は、すでに情報読取／書込機４との非接触通信が完了しているため、このポーリングコマンドに対するレスポンスを送信しない。情報読取／書込機４との非接触通信が完了していない他方の非接触ＩＣカード６は、このポーリングコマンドに対するレスポンスを送信する。
【０１３５】
情報読取／書込機４は、このレスポンスを受信すると、他方の非接触ＩＣカード６に対して通信確立のコマンドを送信する。
【０１３６】
他方の非接触ＩＣカード６は、通信確立のコマンドを受信すると、この通信確立のコマンドに対するレスポンスを情報読取／書込機４に対して送信する。
【０１３７】
情報読取／書込機４は、通信確立のコマンドに対するレスポンスを受信すると、リードコマンドなどを他方の非接触ＩＣカード６に対して送信する。他方の非接触ＩＣカード６は、受信したコマンドに対応するレスポンスを情報読取／書込機４に対して送信する。このようにして、情報読取／書込機４と他方の非接触ＩＣカード６との非接触通信が行われる。
【０１３８】
このように、情報読取／書込機４は所定時間にポーリングコマンドを送信し、このポーリングコマンドに対するレスポンスを最初に送信した非接触ＩＣカード６との間で非接触通信を行う。
【０１３９】
次に、情報読取／書込機４が、通信エリア内に存在する複数の非接触ＩＣカード６と通信する別の方法を以下に示す。ここでも、通信領域内に非接触ＩＣカード６が２枚存在している場合を例にして説明する。
【０１４０】
情報読取／書込機４は、ポーリングコマンドに対するレスポンスを受信するまで、所定時間毎にポーリングコマンドを送信している。
【０１４１】
情報読取／書込機４の通信領域内に存在する非接触ＩＣカード６は、このポーリングコマンドを受信すると、情報読取／書込機４に対してそれぞれの識別情報を含んだレスポンスを送信する。ここで、もし、混信が生じたときには、アンチコリジョン処理を行う。そして、一方の非接触ＩＣカード６が先の時刻にレスポンスを送信した場合を考える。
【０１４２】
情報読取／書込機４は、初めに一方の非接触ＩＣカード６からのレスポンスを受信する。その後、他方の非接触ＩＣカード６からのレスポンスを受信する。
【０１４３】
ここで、２枚の非接触ＩＣカード６からレスポンスを受信した情報読取／書込機４は、通信領域内に他の非接触ＩＣカード６が存在し、通信できるかどうかを判断するため、再度、ポーリングコマンドを送信する。ここで、他の非接触ＩＣカード６からのレスポンスがないと判断した場合に、次のように、２枚の非接触ＩＣカード６との非接触通信を行うための処理を行う。
【０１４４】
情報読取／書込機４は、受信したレスポンスの識別情報から、どの非接触ＩＣカード６からのレスポンスを受信したのかを判断する。情報読取／書込機４は、それぞれの非接触ＩＣカード６に対して通信確立のコマンドを送信する。一方の非接触ＩＣカード６では、通信確立のコマンドを受信することによって、それに対するレスポンスを情報読取／書込機４に送信する。また、他方の非接触ＩＣカード６でも、通信確立のコマンドを受信することによって、それに対するレスポンスを情報読取／書込機４に送信する。
【０１４５】
情報読取／書込機４は、それぞれの非接触ＩＣカード６から通信確立のコマンドに対するレスポンスを受信すると、リードコマンドなどを一方の非接触ＩＣカード６に対して送信する。一方の非接触ＩＣカード６は、受信したコマンドに対応するレスポンスを情報読取／書込機４に対して送信する。このようにして、情報読取／書込機４と一方の非接触ＩＣカード６との非接触通信が行われる。
【０１４６】
情報読取／書込機４は、一方の非接触ＩＣカード６との非接触通信が完了すると、リードコマンドなどを他方の非接触ＩＣカード６に対して送信する。他方の非接触ＩＣカード６は、受信したコマンドに対応するレスポンスを情報読取／書込機４に対して送信する。このようにして、情報読取／書込機４と他方の非接触ＩＣカード６との非接触通信が行われる。
【０１４７】
情報読取／書込機４は、他方の非接触ＩＣカード６との非接触通信が完了すると、ポーリングコマンドを送信する。
【０１４８】
なお、情報読取／書込機４は、ポーリングコマンドに対するレスポンスを受信するまで、所定時間毎にポーリングコマンドを繰り返し送信する。
【０１４９】
次に、この発明の別の実施形態について説明する。上記実施形態の非接触ＩＣカード６は、情報読取／書込機４からのポーリングコマンドの送信完了を検出したタイミングに基づいて、上記検出処理を開始するものであったが、以下のようにしてもよい。
【０１５０】
情報読取／書込機４は、ポーリングコマンドを送信するかわりに、図１６（Ａ）に示すように、所定時間 (例えば２０ｍｓ）毎に一定時間だけ電磁波の出力を低下させている。また、情報読取／書込機４から出力されている電磁波は、非接触ＩＣカード６との通信時以外、変調されていない。
【０１５１】
このため、電源回路６２の出力電圧Ｖは、図１６（Ｂ）に示すように、所定時間（例えば、１０ｍｓ）毎に一定時間だけ低下する。ここで、情報読取／書込機４が電磁波の出力を低下させている一定時間は、 上記検出処理を実行するのに十分な時間（例えば２ｍｓ）である。
【０１５２】
この実施形態の非接触ＩＣカード６は、電源回路６２の出力電圧Ｖの立ち上がりを検出し、ここで検出した出力電圧Ｖの立ち上がりを基準にして上記検出処理を行ってもよいし、また該出力電圧Ｖの立ち下りを検出し、ここで検出した出力電圧Ｖの立ち下がりを基準にして上記検出処理を行ってもよい。どちらの場合であっても、上記実施形態の非接触ＩＣカード６と同様の効果を奏する。
【０１５３】
なお、この実施形態の非接触ＩＣカード６は、上記検出処理を行うタイミングが異なるだけで、検出処理の動作については上記実施形態の非接触ＩＣカード６と同じである。
【０１５４】
この実施形態では、情報読取／書込機４がポーリングコマンドを送信していないので、通信領域内に存在する非接触ＩＣカード６から、情報読取／書込機４に対して通信を要求する通信要求コマンドを送信することにより、非接触ＩＣカード６と情報読取／書込機４とが通信する。以下に、通信方法を示す。ここでは、通信領域内に非接触ＩＣカード６が２枚存在している場合を例にして説明する。
【０１５５】
通信領域内に存在する２枚の非接触ＩＣカード６が、情報読取／書込機４に対して通信を要求する通信要求コマンドを送信する。この通信要求コマンドには非接触ＩＣカード６を識別する識別情報が含まれている。このとき、一方の非接触ＩＣカード６が先の時刻に通信要求コマンドを送信した場合を考える。
【０１５６】
情報読取／書込機４は、通信領域内に存在する一方の非接触ＩＣカード６から通信要求コマンドを受信すると、どの非接触ＩＣカード６からの通信要求コマンドを受信したのかを判断する。情報読取／書込機４は、通信要求コマンドを受信した一方の非接触ＩＣカード６との非接触通信を開始するために、通信確立のコマンドを一方の非接触ＩＣカード６に対して送信する。この通信確立のコマンドには、一方の非接触ＩＣカード６の識別情報が含まれている。
【０１５７】
一方の非接触ＩＣカード６は、この通信確立のコマンドを受信すると、この通信確立のコマンドに対するレスポンスを情報読取／書込機４に対して送信する。
【０１５８】
情報読取／書込機４は、一方の非接触ＩＣカード６から通信確立のコマンドに対するレスポンスを受信すると、一方の非接触ＩＣカード６に対してリードコマンドなどを送信する。一方の非接触ＩＣカード６は、受信したコマンドに対応するレスポンスを情報読取／書込機４に対して送信する。このようにして、情報読取／書込機４と一方の非接触ＩＣカード６との非接触通信が行われる。
【０１５９】
情報読取／書込機４は、通信要求コマンドを送信してきた非接触ＩＣカード６との非接触通信が完了すると、所定時間毎に一定時間だけ電磁波の出力を低下させる処理を行いながら、他方の非接触ＩＣカード６から通信要求コマンドが送信されてくるのを待つ。そして、他方の非接触ＩＣカード６からの通信要求コマンドを受信すると、他方の非接触ＩＣカード６との非接触通信を開始するために、通信確立のコマンドを他方の非接触ＩＣカード６に対して送信する。この通信確立のコマンドには、他方の非接触ＩＣカード６の識別情報が含まれている。
【０１６０】
他方の非接触ＩＣカード６は、この通信確立のコマンドを受信すると、この通信確立のコマンドに対するレスポンスを情報読取／書込機４に対して送信する。
【０１６１】
情報読取／書込機４は、他方の非接触ＩＣカード６から通信確立のコマンドに対するレスポンスを受信すると、他方の非接触ＩＣカード６に対してリードコマンドなどを送信する。他方の非接触ＩＣカード６は、受信したコマンドに対応するレスポンスを情報読取／書込機４に対して送信する。このようにして、情報読取／書込機４と他方の非接触ＩＣカード６との非接触通信が行われる。
【０１６２】
また、情報読取／書込機４と非接触ＩＣカード６との通信は、以下の方法で行うようにしてもよい。ここでも、通信領域内に非接触ＩＣカード６が２枚存在している場合を例にして説明する。
【０１６３】
通信領域内に複数 (ここでは２枚）の非接触ＩＣカード６が存在している場合、双方の非接触ＩＣカード６が情報読取／書込機４に対して通信を要求する通信要求コマンドを送信する。この通信要求コマンドには非接触ＩＣカード６を識別する識別情報が含まれている。このとき、一方の非接触ＩＣカード６が先の時刻に通信要求コマンドを送信した場合を考える。
【０１６４】
情報読取／書込機４は、一方の非接触ＩＣカード６からの通信要求コマンドを受信すると、予め設定されている時間だけ他の非接触ＩＣカード６からの通信要求コマンドの受信を待つ。ここで、情報読取／書込機４は、他方の非接触ＩＣカード６からの通信要求コマンドを受信する。情報読取／書込機４は、それぞれの非接触ＩＣカード６に対して通信確立のコマンドを送信する。一方の非接触ＩＣカード６は、通信確立のコマンドを受信することによって、それに対するレスポンスを情報読取／書込機４に送信する。また、他方の非接触ＩＣカード６も、通信確立のコマンドを受信することによって、それに対するレスポンスを情報読取／書込機４に送信する。
【０１６５】
情報読取／書込機４は、それぞれの非接触ＩＣカード６から通信確立のコマンドに対するレスポンスを受信すると、リードコマンドなどを一方の非接触カード６に対して送信する。一方の非接触ＩＣカード６は、受信したコマンドに対応するレスポンスを情報読取／書込機４に対して送信する。このようにして、情報読取／書込機４と一方の非接触ＩＣカード６との非接触通信が行われる。
【０１６６】
情報読取／書込機４は、一方の非接触ＩＣカード６との非接触通信が完了すると、リードコマンドなどを他方の非接触ＩＣカード６に対して送信する。他方の非接触ＩＣカード６は、受信したコマンドに対応するレスポンスを情報読取／書込機４に対して送信する。このようにして、情報読取／書込機４と他方の非接触ＩＣカード６との非接触通信が行われる。
【０１６７】
情報読取／書込機４は、通信要求コマンドを送信してきた２枚の非接触ＩＣカード６との非接触通信が完了すると、所定時間 (例えば２０ｍｓ）毎に一定時間だけ電磁波の出力を低下させる処理を行いながら、別の非接触ＩＣカード６から通信要求コマンドが送信されてくるのを待つ。
【０１６８】
【発明の効果】
以上のように、この発明によれば、複数の非接触通信媒体( 非接触ＩＣカードなど) が接近した状態（重なった状態）で同時に情報読取／書込装置などの通信装置に接近させても、それぞれの媒体で非接触データ通信を行うことができる。
【図面の簡単な説明】
【図１】この発明の実施形態である非接触ＩＣカードを使用する非接触自動改札機の外観図
【図２】改札機本体の乗車情報読出／書込機の構成図
【図３】非接触ＩＣカードの構成図
【図４】非接触ＩＣカードの外観図
【図５】スイッチ制御回路の構成図
【図６】改札機本体から出力される電磁波と、非接触ＩＣカードの電源回路の出力電圧と、を示す図
【図７】１枚の非接触ＩＣカードが通信可能となるまでのスイッチ素子および電源供給スイッチ素子のオン／オフ動作を説明する図
【図８】１枚の非接触ＩＣカードにおけるスイッチ素子の状態と、非接触ＩＣカードの電源回路の出力電圧と、を示す図
【図９】２枚の非接触ＩＣカードを重ねて使用する場合におけるスイッチ素子および電源供給スイッチ素子のオン／オフ動作を説明する図
【図１０】２枚の非接触ＩＣカードにおけるスイッチ素子の状態と、非接触ＩＣカードの電源回路の出力電圧と、を示す図
【図１１】非接触ＩＣカードの状態遷移図および、各状態におけるスイッチ素子および電源供給スイッチ素子のオン／オフ状態を示す図
【図１２】１枚の非接触ＩＣカードが使用される場合における各カードの出力電圧の変化を示す図
【図１３】２枚の非接触ＩＣカードが使用される場合における各カードの出力電圧の変化を示す図
【図１４】スイッチ制御回路の動作を示すフローチャート
【図１５】この実施形態の非接触ＩＣカードと従来の非接触ＩＣカードとの比較結果を示す図
【図１６】別の実施形態にかかる改札機本体から出力される電磁波と、非接触ＩＣカードの電源回路の出力電圧と、を示す図
【図１７】従来の非接触ＩＣカードを説明するための図
【図１８】従来の非接触ＩＣカードを説明するための図
【符号の説明】
６０−共振回路
６１−スイッチ制御回路
６２−電源回路
６３−データ処理回路
６４−復調回路
６５−変調回路
６６−データ処理部
Ｌ−アンテナコイル
Ｃ１、Ｃ２−コンデンサ
ＳＷ−スイッチ素子
ＰＳＷ−電力供給スイッチ素子
【図１】
0003843944.tif 000002
【図２】
0003843944.tif 000003
【図３】
0003843944.tif 000004
【図４】
0003843944.tif 000005
【図５】
0003843944.tif 000006
【図６】
0003843944.tif 000007
【図７】
0003843944.tif 000008
【図８】
0003843944.tif 000009
【図９】
0003843944.tif 000010
【図１０】
0003843944.tif 000011
【図１１】
0003843944.tif 000012
【図１２】
0003843944.tif 000013
【図１３】
0003843944.tif 000014
【図１４】
0003843944.tif 000015
【図１５】
0003843944.tif 000016
【図１６】
0003843944.tif 000017
【図１７】
0003843944.tif 000018
【図１８】
0003843944.tif 000019